(57)【要約】【課題】耐多角形摩耗性能と騒音性能とを両立できる空気入りタイヤを提供すること。【解決手段】この空気入りタイヤは、タイヤ周方向に延在する周方向溝と、周方向溝に区画されて成ると共に所定のピッチ配列を有する複数の陸部とを備える。また、トレッド部を内側ショルダー領域、センター領域および外側ショルダー領域から成る３つの領域に区分するときに、内側ショルダー領域におけるピッチ配列が、単一種類のピッチから成る単一ピッチ配列である。また、センター領域におけるピッチ配列および外側ショルダー領域におけるピッチ配列が、複数種類のピッチを連続的に配列して成る周期ピッチ配列および複数種類のピッチを不連続に配列して成るランダムピッチ配列の少なくとも一方である。【選択図】図３
2015120449.tif 000002
【特許請求の範囲】
【請求項１】
タイヤ周方向に延在する少なくとも１本の周方向溝と、前記周方向溝に区画されて成ると共に所定のピッチ配列を有する複数の陸部とを備える空気入りタイヤであって、
トレッド部を内側ショルダー領域、センター領域および外側ショルダー領域から成る３つの領域に区分するときに、
前記内側ショルダー領域における前記ピッチ配列が、単一種類のピッチから成る単一ピッチ配列であり、且つ、
前記センター領域における前記ピッチ配列および前記外側ショルダー領域における前記ピッチ配列が、複数種類のピッチを連続的に配列して成る周期ピッチ配列および複数種類のピッチを不連続に配列して成るランダムピッチ配列の少なくとも一方であることを特徴とする空気入りタイヤ。
【請求項２】
前記センター領域における前記ピッチ配列および前記外側ショルダー領域における前記ピッチ配列のうちの一方が、前記ランダムピッチ配列であり、他方が、前記周期ピッチ配列である請求項１に記載の空気入りタイヤ。
【請求項３】
前記センター領域における前記ピッチ配列が、前記ランダムピッチ配列であり、且つ、
前記外側ショルダー領域における前記ピッチ配列が、前記周期ピッチ配列である請求項１に記載の空気入りタイヤ。
【請求項４】
前記センター領域における前記ピッチ配列が、前記周期ピッチ配列であり、且つ、
前記外側ショルダー領域における前記ピッチ配列が、前記ランダムピッチ配列である請求項１に記載の空気入りタイヤ。
【請求項５】
前記センター領域にて、より大きいピッチ長を有する前記ピッチの溝面積比が、より小さいピッチ長を有する前記ピッチの溝面積比よりも大きく、且つ、
前記外側ショルダー領域にて、より大きいピッチ長を有する前記ピッチの溝面積比が、より小さいピッチ長を有する前記ピッチの溝面積比よりも小さい請求項１〜４のいずれか一つに記載の空気入りタイヤ。
【請求項６】
前記センター領域にて、より大きいピッチ長を有する前記ピッチの溝面積比が、より小さいピッチ長を有する前記ピッチの溝面積比よりも小さく、且つ、
前記外側ショルダー領域にて、より大きいピッチ長を有する前記ピッチの溝面積比が、より小さいピッチ長を有する前記ピッチの溝面積比よりも大きい請求項１〜４のいずれか一つに記載の空気入りタイヤ。
【請求項７】
前記センター領域における前記ピッチ配列のピッチ比が、前記外側ショルダー領域における前記ピッチ配列のピッチ比よりも小さい請求項１〜６のいずれか一つに記載の空気入りタイヤ。
【請求項８】
前記センター領域における前記ピッチ配列のピッチ数が、前記外側ショルダー領域における前記ピッチ配列のピッチ数に対して同一または少ない請求項１〜７のいずれか一つに記載の空気入りタイヤ。
【請求項９】
前記外側ショルダー領域における前記ピッチ配列のピッチ数が、前記内側ショルダー領域における前記ピッチ配列のピッチ数よりも少ない請求項１〜８のいずれか一つに記載の空気入りタイヤ。
【請求項１０】
前記センター領域における前記ピッチ配列のピッチ種数が、前記外側ショルダー領域における前記ピッチ配列のピッチ種数よりも少ない請求項１〜９のいずれか一つに記載の空気入りタイヤ。
【請求項１１】
前記内側ショルダー領域における前記陸部が、ラグ溝を有さないリブである請求項１〜１０のいずれか一つに記載の空気入りタイヤ。
【発明の詳細な説明】
【技術分野】
【０００１】
この発明は、空気入りタイヤに関し、さらに詳しくは、耐多角形摩耗性能と騒音性能とを両立できる空気入りタイヤに関する。
【背景技術】
【０００２】
近年の空気入りタイヤでは、パターンノイズを低減してタイヤの騒音性能を向上させるために、複数のラグ溝をタイヤ周方向に所定のピッチ配列で配置するピッチバリエーション構造が採用されている。かかる構成を採用する従来の空気入りタイヤとして、特許文献１〜７に記載される技術が知られている。
【先行技術文献】
【特許文献】
【０００３】
【特許文献１】特開２０１１−２５５８０５号公報
【特許文献２】特開２０１２−    １１２９号公報
【特許文献３】特開２０１２−    １１４８号公報
【特許文献４】特開２０１２−  ２５１９２号公報
【特許文献５】特開２０１２−  ４０８８６号公報
【特許文献６】特開２０１２−  ４０９４５号公報
【特許文献７】特開２０１３−  ３９８７０号公報
【発明の概要】
【発明が解決しようとする課題】
【０００４】
一方で、空気入りタイヤでは、陸部の多角形摩耗を抑制すべき課題もある。多角形摩耗とは、陸部がタイヤ周方向の一部で早期に摩耗する現象であり、例えば、ブロックのヒールアンドトゥ摩耗などである。
【０００５】
そこで、この発明は、上記に鑑みてなされたものであって、耐多角形摩耗性能と騒音性能とを両立できる空気入りタイヤを提供することを目的とする。
【課題を解決するための手段】
【０００６】
上記目的を達成するため、この発明にかかる空気入りタイヤは、タイヤ周方向に延在する少なくとも１本の周方向溝と、前記周方向溝に区画されて成ると共に所定のピッチ配列を有する複数の陸部とを備える空気入りタイヤであって、トレッド部を内側ショルダー領域、センター領域および外側ショルダー領域から成る３つの領域に区分するときに、前記内側ショルダー領域における前記ピッチ配列が、単一種類のピッチから成る単一ピッチ配列であり、且つ、前記センター領域における前記ピッチ配列および前記外側ショルダー領域における前記ピッチ配列が、複数種類のピッチを連続的に配列して成る周期ピッチ配列および複数種類のピッチを不連続に配列して成るランダムピッチ配列の少なくとも一方であることを特徴とする。
【発明の効果】
【０００７】
この発明にかかる空気入りタイヤでは、単一ピッチ配列が内側ショルダー領域に配置されるので、内側ショルダー領域の陸部の多角形摩耗が抑制される。一方で、周期ピッチ配列およびランダムピッチ配列の少なくとも一方がセンター領域および外側ショルダー領域に配置されるので、タイヤのパターンノイズが減少する。これにより、タイヤの耐多角形摩耗性能と騒音性能とが両立する利点がある。
【図面の簡単な説明】
【０００８】
【図１】図１は、この発明の実施の形態にかかる空気入りタイヤを示すタイヤ子午線方向の断面図である。
【図２】図２は、図１に記載した空気入りタイヤのトレッド面を示す平面図である。
【図３】図３は、図１に記載した空気入りタイヤのピッチ配列を示す説明図である。
【図４】図４は、図１に記載した空気入りタイヤの変形例を示す説明図である。
【図５】図５は、図１に記載した空気入りタイヤの変形例を示す説明図である。
【図６】図６は、図１に記載した空気入りタイヤの変形例を示す説明図である。
【図７】図７は、この発明の実施の形態にかかる空気入りタイヤの性能試験の結果を示す図表である。
【図８】図８は、この発明の実施の形態にかかる空気入りタイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［空気入りタイヤ］
図１は、この発明の実施の形態にかかる空気入りタイヤを示すタイヤ子午線方向の断面図である。同図は、タイヤ径方向の片側領域の断面図を示している。また、同図は、空気入りタイヤの一例として、乗用車用ラジアルタイヤを示している。
【００１１】
なお、同図において、タイヤ子午線方向の断面とは、タイヤ回転軸（図示省略）を含む平面でタイヤを切断したときの断面をいう。また、符号ＣＬは、タイヤ赤道面であり、タイヤ回転軸方向にかかるタイヤの中心点を通りタイヤ回転軸に垂直な平面をいう。また、タイヤ幅方向とは、タイヤ回転軸に平行な方向をいい、タイヤ径方向とは、タイヤ回転軸に垂直な方向をいう。また、車幅方向内側および車幅方向外側とは、タイヤを車両に装着したときの車幅方向に対する向きを示す。
【００１２】
この空気入りタイヤ１は、タイヤ回転軸を中心とする環状構造を有し、一対のビードコア１１、１１と、一対のビードフィラー１２、１２と、カーカス層１３と、ベルト層１４と、トレッドゴム１５と、一対のサイドウォールゴム１６、１６と、一対のリムクッションゴム１７、１７とを備える（図１参照）。
【００１３】
一対のビードコア１１、１１は、複数のビードワイヤを束ねて成る環状部材であり、左右のビード部のコアを構成する。一対のビードフィラー１２、１２は、一対のビードコア１１、１１のタイヤ径方向外周にそれぞれ配置されてビード部を構成する。
【００１４】
カーカス層１３は、左右のビードコア１１、１１間にトロイダル状に架け渡されてタイヤの骨格を構成する。また、カーカス層１３の両端部は、ビードコア１１およびビードフィラー１２を包み込むようにタイヤ幅方向外側に巻き返されて係止される。また、カーカス層１３は、スチールあるいは有機繊維材（例えば、アラミド、ナイロン、ポリエステル、レーヨンなど）から成る複数のカーカスコードをコートゴムで被覆して圧延加工して構成され、絶対値で８０［deg］以上９５［deg］以下のカーカス角度（タイヤ周方向に対するカーカスコードの繊維方向の傾斜角）を有する。
【００１５】
ベルト層１４は、一対の交差ベルト１４１、１４２と、ベルトカバー１４３とを積層して成り、カーカス層１３の外周に掛け廻されて配置される。一対の交差ベルト１４１、１４２は、スチールあるいは有機繊維材から成る複数のベルトコードをコートゴムで被覆して圧延加工して構成され、絶対値で２０［deg］以上５５［deg］以下のベルト角度を有する。また、一対の交差ベルト１４１、１４２は、相互に異符号のベルト角度（タイヤ周方向に対するベルトコードの繊維方向の傾斜角）を有し、ベルトコードの繊維方向を相互に交差させて積層される（クロスプライ構造）。ベルトカバー１４３は、コートゴムで被覆されたスチールあるいは有機繊維材から成る複数のコードを圧延加工して構成され、絶対値で０［deg］以上１０［deg］以下のベルト角度を有する。また、ベルトカバー１４３は、交差ベルト１４１、１４２のタイヤ径方向外側に積層されて配置される。
【００１６】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。一対のリムクッションゴム１７、１７は、左右のビードコア１１、１１およびカーカス層１３の巻き返し部のタイヤ径方向内側にそれぞれ配置されて、リムフランジに対する左右のビード部の接触面を構成する。
【００１７】
［トレッドパターン］
図２は、図１に記載した空気入りタイヤのトレッド面を示す平面図である。同図は、オールシーズン用タイヤのトレッドパターンを示している。同図において、タイヤ周方向とは、タイヤ回転軸周りの方向をいう。また、符号Ｔは、タイヤ接地端である。
【００１８】
この空気入りタイヤ１は、タイヤ周方向に連続して延在する複数の周方向溝２１〜２６と、これらの周方向主溝２１〜２６に区画されて成る複数の陸部３１〜３７と、タイヤ幅方向に延在する複数のラグ溝４１〜４３とをトレッド部に備える（図２参照）。
【００１９】
周方向溝とは、１［ｍｍ］以上の溝幅および４［ｍｍ］以上の溝深さを有する縦溝をいう。したがって、周方向溝には、スリップサインの表示義務を有する周方向主溝のみならず、より幅狭な周方向細溝も含まれる。周方向主溝は、一般に、６［ｍｍ］以上の溝幅および７［ｍｍ］以上の溝深さを有する。
【００２０】
ラグ溝とは、２［ｍｍ］以上の溝幅および３［ｍｍ］以上の溝深さを有する横溝をいう。ラグ溝は、陸部をタイヤ幅方向に貫通するオープン構造を有しても良いし、一方の端部にて陸部内で終端するセミクローズド構造あるいは双方の端部にて陸部内で終端するクローズド構造を有しても良い。
【００２１】
溝幅は、トレッド踏面における溝幅の最大値として測定され、溝開口部に形成された切欠部や面取部を除外して測定される。また、溝深さは、トレッド踏面から溝底までの最大値として測定され、溝底に形成された部分的な凹凸部などを除外して測定される。
【００２２】
なお、後述するサイプとは、陸部に形成された切り込みであり、一般に２［ｍｍ］未満のサイプ幅を有する。
【００２３】
例えば、図２の構成では、タイヤ赤道面ＣＬを境界とする車幅方向内側の領域に、１本の周方向主溝２２が配置され、また、車幅方向外側の領域に、２本の周方向主溝２５、２６が配置されている。また、これらの周方向主溝２２、２５、２６が、ストレート形状を有し、タイヤ全周に渡って連続して延在している。また、車幅方向内側の領域には、タイヤ接地端Ｔと周方向主溝２２との間および周方向主溝２２とタイヤ赤道面ＣＬとの間に、周方向細溝２１、２３がそれぞれ配置されている。また、タイヤ赤道面ＣＬ上に、１本の周方向細溝２４が配置されている。
【００２４】
また、これらの周方向主溝２１〜２６により、７列の陸部３１〜３７が区画されている。具体的には、タイヤ赤道面ＣＬを境界とする車幅方向内側の領域に、４列の陸部３１〜３４が区画され、車幅方向外側の領域に、３列の陸部が区画されている。
【００２５】
また、車幅方向内側の領域では、車幅方向内側のトレッド端と周方向主溝２２との間に、複数のラグ溝４１が配置されている。また、これらのラグ溝４１が、タイヤ周方向に緩やかに湾曲しつつタイヤ幅方向に延在して陸部３１を貫通し、また、周方向主溝２２に交差することなく陸部３２の内部で終端している。また、これらのラグ溝４１が、タイヤ周方向に所定間隔で配置されて、タイヤ接地端Ｔ上にある陸部３１を複数のブロック５１に分断している。これにより、ブロック列が形成されている。また、これらのブロック５１が、１本のサイプ６１をそれぞれ有している。また、これらのサイプ６１が、ブロック５１の内部で終端するクローズド構造を有し、タイヤ接地端Ｔに交差しつつタイヤ幅方向に延在している。また、陸部３２が、複数のサイプ６２を有している。また、これらのサイプ６２が、ラグ溝４１の延長線上にそれぞれ配置され、ラグ溝４１を延長して周方向主溝２２に開口している。
【００２６】
また、周方向主溝２２とタイヤ赤道面ＣＬとの間に、複数のラグ溝４２が配置されている。また、これらのラグ溝４２が、タイヤ周方向に緩やかに湾曲しつつタイヤ幅方向に延在して、周方向主溝２２とタイヤ赤道面ＣＬとの間にある２列の陸部３３、３４を貫通している。また、これらのラグ溝４２が、タイヤ周方向に所定間隔で配置されて、これらの陸部３３、３４を複数のブロック５２に分断している。これにより、周方向主溝２２とタイヤ赤道面ＣＬとの間に、２列のブロック列が形成されている。
【００２７】
また、車幅方向外側の領域では、タイヤ赤道面ＣＬ側にある２列の陸部３５、３６が、タイヤ周方向に連続するリブとなっている。また、これらの陸部３５、３６が、車幅方向外側のエッジ部に、複数の切欠７１、７２をそれぞれ有している。また、これらの切欠７１、７２が、タイヤ周方向に所定間隔で配置されている。
【００２８】
また、最も外側の周方向主溝２６と車幅方向外側のトレッド端との間に、複数のラグ溝４３が配置されている。また、これらのラグ溝４３が、タイヤ接地面の外からタイヤ周方向に緩やかに湾曲しつつタイヤ接地端Ｔを越えてタイヤ幅方向に延在して、周方向主溝２６に開口している。また、これらのラグ溝４３が、タイヤ周方向に所定間隔で配置されて、陸部３７のタイヤ接地面内にある部分をタイヤ周方向に分断している。
【００２９】
図２の構成では、上記のように、周方向溝２１〜２６およびラグ溝４１〜４３が配置されて、タイヤ赤道面ＣＬに対して左右非対称なトレッドパターンが形成されている。なお、空気入りタイヤ１は、後述するピッチ配列の要件を満たす限り、任意のトレッドパターンを採用できる。
【００３０】
ここで、トレッド部を内側ショルダー領域、センター領域および外側ショルダー領域から成る３つの領域に区分する。
【００３１】
内側ショルダー領域は、次のように定義される。まず、図２のように、タイヤ赤道面ＣＬから車幅方向内側に向かってタイヤ接地幅ＴＷの１５［％］以上４０［％］の距離Ｗin（０．１５≦Ｗin／ＴＷ≦０．４０）にある周方向溝を、内側周方向溝と呼ぶ。そして、この内側周方向溝よりも車幅方向内側の領域を、内側ショルダー領域と呼ぶ。上記の条件を満たす周方向溝が複数ある場合には、任意の内側周方向溝を選択できる。
【００３２】
外側ショルダー領域は、次のように定義される。まず、タイヤ赤道面ＣＬから車幅方向外側に向かってタイヤ接地幅ＴＷの１５［％］以上４０［％］の距離Ｗout（０．１５≦Ｗout／ＴＷ≦０．４０）にある周方向溝を、内側周方向溝と呼ぶ。そして、この周方向溝よりも車幅方向外側の領域を、外側ショルダー領域と呼ぶ。上記の条件を満たす周方向溝が複数ある場合には、任意の内側周方向溝を選択できる。
【００３３】
センター領域は、上記の内側周方向溝と外側周方向溝との間の領域をいう。
【００３４】
例えば、図２の構成では、上記のように、空気入りタイヤ１が６本の周方向溝２１〜２６を備えている。また、タイヤ赤道面ＣＬを境界として車幅方向内側にある周方向主溝２２が、内側周方向溝であり、この周方向主溝２２を境界として、内側ショルダー領域が区画されている。また、車幅方向外側にある２本の周方向主溝２５、２６のうち最も外側にある周方向主溝２６が、外側周方向溝であり、この周方向主溝２６を境界として、外側ショルダー領域が区画されている。
【００３５】
なお、タイヤ接地幅ＴＷとは、タイヤが規定リムに装着されて規定内圧を付与されると共に静止状態にて平板に対して垂直に置かれて規定荷重に対応する負荷を加えられたときのタイヤと平板との接触面におけるタイヤ軸方向の最大直線距離をいう。
【００３６】
タイヤ接地端Ｔとは、タイヤが規定リムに装着されて規定内圧を付与されると共に静止状態にて平板に対して垂直に置かれて規定荷重に対応する負荷を加えられたときのタイヤと平板との接触面におけるタイヤ軸方向の最大幅位置をいう。
【００３７】
ここで、規定リムとは、ＪＡＴＭＡに規定される「適用リム」、ＴＲＡに規定される「Design Rim」、あるいはＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、規定荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００３８】
［ピッチバリエーション構造］
一般的な空気入りタイヤでは、陸部が、所定のピッチ配列を有する。ピッチ配列は、複数のラグ溝、サイプ、切欠、カーフなどが、タイヤ周方向に所定のピッチで配列されることにより構成される。ピッチ配列の種類には、単一ピッチ配列、周期ピッチ配列、ランダムピッチ配列などがある。
【００３９】
ピッチとは、タイヤ周方向に沿って同じパターンが繰り返されるときの、パターン構成要素の最小単位をいう。一般には、ピッチが、タイヤのパターンノイズや偏摩耗に影響を与えるラグ溝の配置により規定される。また、ラグ溝を有さない陸部では、ピッチが、サイプや切欠により規定される。
【００４０】
単一ピッチ配列とは、単一種類のピッチのみから成るピッチ配列をいう。具体的には、同一種類のピッチのピッチ数がタイヤ全周におけるピッチ数の８０［％］以上であれば、単一ピッチ配列であるといえる。例えば、ピッチ長がモールドセクターの分割位置で変わる場合があるが、他の８０［％］以上のピッチが同一種類であれば、単一ピッチ配列であるといえる。また、ピッチ長の最大値と最小値との比が１．００［％］以上１．０９［％］以下であれば、同一種類のピッチであるといえる。
【００４１】
単一ピッチ配列を有する陸部では、摩耗がタイヤ全周で均一に進行するため、タイヤの多角形摩耗が抑制される。多角形摩耗とは、陸部がタイヤ周方向の一部で早期に摩耗する現象であり、例えば、ブロックのヒールアンドトゥ摩耗などである。また、単一ピッチ配列を有する陸部では、タイヤ周方向にかかる陸部の剛性変化が小さいため、タイヤのユニフォミティが向上する。
【００４２】
周期ピッチ配列とは、複数種類のピッチを連続して配列して成るピッチ配列をいう。一方、ランダムピッチ配列とは、複数種類のピッチを不連続に配列して成るピッチ配列をいう。具体的には、「連続」するピッチがタイヤ全周におけるピッチ数の６［％］以上であれば、周期ピッチ配列に該当し、６［％］未満であれば、ランダムピッチ配列に該当する。ピッチの種類は、一般に、相互に異なるピッチ長を有するピッチの種類として概念される。一般的な空気入りタイヤでは、３種類〜７種類のピッチが用いられる。また、２種類のピッチから成るピッチ配列は、周期ピッチ配列である。また、周期ピッチ配列およびランダムピッチ配列におけるピッチ長の最大値と最小値との比は、０．８５以上１．１５以下の範囲にあることが好ましい。
【００４３】
複数種類のピッチが「連続」および「不連続」のいずれに該当するかは、次のように判断される。例えば、ピッチ配列が相互に異なるピッチ長をもつ３種類のピッチＡ〜Ｃ（Ａ＞Ｂ＞Ｃ）を有する場合を考える。このとき、Ａ−Ａ−Ｂ−Ｂ−Ｃ−Ｃ−Ｂ−Ｂ−Ａ−Ａ・・・のように、タイヤ周方向に隣り合うピッチが同一あるいは隣接するピッチ長を有する場合には、ピッチが「連続」であるといえる。一方で、Ａ−Ｃのように、タイヤ周方向に隣り合うピッチが中間のピッチ長（Ｂ）を飛ばして配置される場合には、ピッチが「不連続」であるといえる。
【００４４】
周期ピッチ配列およびランダムピッチ配列のように複数種類のピッチから成るピッチ配列は、ピッチバリエーション構造と呼ばれる。かかるピッチバリエーション構造を有する構成では、走行時に発生するピーク音圧の周波数帯域が分散して、パターンノイズが減少する。これにより、タイヤの騒音性能が向上する。
【００４５】
［単一ピッチ配列と、周期ピッチ配列およびランダムピッチ配列との併用］
上記のように、ピッチバリエーション構造を有する構成では、パターンノイズが減少して、タイヤの騒音性能が向上する。
【００４６】
一方で、発明者の研究によれば、内側ショルダー領域にある陸部では、多角形摩耗が生じ易い。この傾向は、タイヤの使用状況（例えば、誘導輪での使用）、特定車両（例えば、ハイブリット車など）において顕著である。
【００４７】
そこで、この空気入りタイヤ１では、パターンノイズを低減しつつ内側ショルダー領域における多角形摩耗を抑制するために、以下の構成を採用している。
【００４８】
図３は、図１に記載した空気入りタイヤのピッチ配列を示す説明図である。同図は、図２のトレッドパターンにおける内側ショルダー領域、センター領域および外側ショルダー領域の各ピッチ配列を概念的に示している。また、同図において、記号の配列は、所定のピッチＡ〜Ｅが、図中左から右に向かう順序でタイヤ周方向に配置されることを示している。また、例えば、「Ａ３」は、ピッチ長を有するピッチＡがタイヤ周方向に３つ連続して配置されることを示している。
【００４９】
この空気入りタイヤ１では、内側ショルダー領域におけるピッチ配列が、単一種類のピッチから成る単一ピッチ配列であり、且つ、センター領域および外側ショルダー領域におけるピッチ配列が、周期ピッチ配列およびランダムピッチ配列の少なくとも一方であることを要する。
【００５０】
かかる構成では、単一ピッチ配列が内側ショルダー領域に配置されるので、内側ショルダー領域の陸部３１の多角形摩耗が抑制される。一方で、周期ピッチ配列およびランダムピッチ配列の少なくとも一方がセンター領域および外側ショルダー領域に配置されるので、タイヤのパターンノイズが減少する。
【００５１】
例えば、図２のトレッドパターンでは、上記のように、内側ショルダー領域とセンター領域とが、車幅方向内側の最外周方向主溝２６により区画され、また、センター領域と外側ショルダー領域とが、車幅方向外側の最外周方向主溝２２に区画されている。また、図３に示すように、内側ショルダー領域におけるピッチ配列が、単一ピッチ配列であり、センター領域および外側ショルダー領域におけるピッチ配列が、ランダムピッチ配列である。具体的には、各領域のピッチ配列が以下のように構成されている。
【００５２】
まず、内側ショルダー領域におけるピッチ配列の各ピッチが、ピッチ長Ｐin_１、Ｐin_２、・・・、Ｐin_Ｎ（Ｎin：ピッチ数）をそれぞれ有する。また、センター領域におけるピッチ配列の各ピッチが、ピッチ長Ｐce_１、Ｐce_２、・・・、Ｐce_Ｎ（Ｎce：ピッチ数）をそれぞれ有する。また、外側ショルダー領域におけるピッチ配列の各ピッチが、ピッチ長Ｐout_１、Ｐout_２、・・・、Ｐout_Ｎ（Ｎout：ピッチ数）をそれぞれ有する。
【００５３】
ピッチ長は、タイヤを規定リムに装着して規定内圧を付与すると共に無負荷状態としたときのタイヤ周方向のピッチの長さとして測定される。ピッチ数は、１列のピッチ配列におけるタイヤ全周のピッチの総数である。
【００５４】
次に、内側ショルダー領域におけるピッチ配列のピッチ種類が、「Ｃ」のみの１種類で構成される。このため、ピッチ配列のピッチ長Ｐin_１、Ｐin_２、・・・、Ｐin_Ｎが、Ｐin_１＝Ｐin_２＝、・・・、＝Ｐin_Ｎ＝Ｃの関係を有する。また、図３（ａ）に示すように、ラグ溝４１およびサイプ６１が、一定のピッチ長Ｃでタイヤ周方向に配置されている。
【００５５】
また、センター領域および外側ショルダー領域におけるピッチ配列のピッチ種類が、「Ａ」〜「Ｅ」の５種類であり、これらのピッチのピッチ長がＡ＞Ｂ＞Ｃ＞Ｄ＞Ｅの関係を有している。また、ピッチ配列のピッチ長Ｐce_１、Ｐce_２、・・・、Ｐce_Ｎが、図３（ｂ）に示す所定のランダムピッチ配列によって「Ａ」〜「Ｅ」のいずれかに設定されている。また、センター領域および外側ショルダー領域が、同一パターンのランダムピッチ配列を有している。このため、ラグ溝４２、４３および切欠７１、７２が、このランダムピッチ配列によってタイヤ周方向に配置されている。
【００５６】
［変形例］
図４〜図６は、図１に記載した空気入りタイヤの変形例を示す説明図である。これらの図は、トレッドパターンにおける内側ショルダー領域、センター領域および外側ショルダー領域の各ピッチ配列を概念的に示している。
【００５７】
図２および図３の構成では、上記のように、内側ショルダー領域が単一ピッチ配列を有し、センター領域および外側ショルダー領域の双方がランダムピッチ配列を有している。単一ピッチ配列は、周期ピッチ配列およびランダムピッチ配列と比較して、パターンノイズを抑制する作用が強い。また、内側ショルダー領域では、センター領域および外側ショルダー領域と比較して、多角形摩耗が生じ易い。また、ランダムピッチ配列は、単一ピッチ配列と比較して、パターンノイズを抑制する作用が強く、また、周期ピッチ配列と比較して、タイヤの操縦安定性能を向上させる作用が強い。したがって、かかる構成では、内側ショルダー領域の多角形摩耗が効果的に抑制され、タイヤの騒音性能および操縦安定性能が向上する点で好ましい。
【００５８】
これに対して、図４に示す構成では、内側ショルダー領域が単一ピッチ配列を有し、センター領域および外側ショルダー領域の双方が周期ピッチ配列を有する。単一ピッチ配列は、周期ピッチ配列およびランダムピッチ配列と比較して、パターンノイズを抑制する作用が強い。また、内側ショルダー領域では、センター領域および外側ショルダー領域と比較して、多角形摩耗が生じ易い。また、周期ピッチ配列は、単一ピッチ配列と比較して、パターンノイズを抑制する作用が強く、また、ランダムピッチ配列と比較して、陸部の多角形摩耗を抑制する作用が強い。したがって、かかる構成は、内側ショルダー領域の多角形摩耗が効果的に抑制され、タイヤの騒音性能および耐多角形摩耗性能が向上する点で好ましい。
【００５９】
なお、図３および図４の構成では、センター領域および外側ショルダー領域が、同一パターンのランダムピッチ配列（図３）あるいは同一パターンの周期ピッチ配列（図４）を有している。
【００６０】
しかし、これに限らず、センター領域および外側ショルダー領域が、相互に異なるパターンのランダムピッチ配列あるいは相互に異なるパターンの周期ピッチ配列を有しても良い（図示省略）。これにより、センター領域および外側ショルダー領域の特性の相異を活かしたトレッドパターンの設計が可能となる。
【００６１】
また、図５に示す構成では、内側ショルダー領域が単一ピッチ配列を有し、センター領域がランダムピッチ配列を有し、且つ、外側ショルダー領域が周期ピッチ配列を有する。したがって、トレッド部が、単一ピッチ配列とランダムピッチ配列と周期ピッチ配列とを併用したトレッドパターンを有している。上記のように、ランダムピッチ配列は、周期ピッチ配列と比較して、タイヤの操縦安定性能を向上させる作用が強い。また、センター領域は、タイヤの操縦安定性能に対する影響が強い。また、上記のように、周期ピッチ配列は、ランダムピッチ配列と比較して、陸部の多角形摩耗を抑制する作用が強い。また、外側ショルダー領域では、内側ショルダー領域と比較して、陸部の多角形摩耗が生じ易い。したがって、かかる構成は、タイヤの操縦安定性能および耐多角形摩耗性能が効果的に向上する点で好ましい。
【００６２】
また、図６に示す構成では、内側ショルダー領域が単一ピッチ配列を有し、センター領域が周期ピッチ配列を有し、外側ショルダー領域がランダムピッチ配列を有する。周期ピッチ配列は、ランダムピッチ配列と比較して、高周波パターンノイズを抑制する作用が強い。また、センター領域は、パターンノイズに対する影響が強い。また、ランダムピッチ配列は、周期ピッチ配列と比較して、制動性能を向上させる作用が強い。また、外側ショルダー領域は、制動性能に対する影響が強い。したがって、かかる構成は、タイヤの騒音性能および制動性能が効果的に向上する点で好ましい。
【００６３】
また、図２の構成では、センター領域にて、より大きいピッチ長を有するピッチの溝面積比が、より小さいピッチ長を有するピッチの溝面積比よりも大きい（具体的には、０．５［％］以上２．０［％］以下の範囲で大きい）ことが好ましい。また、外側ショルダー領域にて、より大きいピッチ長を有するピッチの溝面積比が、より小さいピッチ長を有するピッチの溝面積比よりも小さい（具体的には、０．５［％］以上２．０［％］以下の範囲で小さい）ことが好ましい。なお、内側ショルダー領域のピッチの溝面積比は、ピッチ配列が単一ピッチ配列であり、各ピッチのピッチ長が一定なので、一定である。
【００６４】
ピッチの溝面積比は、単位ピッチ内に形成された横溝の溝面積の総和と、ピッチの面積との比として算出される。横溝は、タイヤ幅方向に延在する溝であり、例えば、ラグ溝、傾斜溝などが含まれる。一方で、周方向溝、陸部に形成されたサイプ、カーフ、切欠部などは、横溝に該当しない。
【００６５】
溝面積は、タイヤが規定リムに装着されて規定内圧を付与されると共に静止状態にて平板に対して垂直に置かれて規定荷重に対応する負荷を加えられたときのタイヤと平板との接触面にて、測定される。
【００６６】
上記の構成では、センター領域におけるピッチの溝面積比が適正化されるので、ブロックの大きさが、大きいピッチと小さいピッチとの間で均一化される。また、センター領域は、タイヤの操縦安定性能に対する影響が強い。したがって、かかる構成は、タイヤの操縦安定性能が向上する点で好ましい。
【００６７】
また、上記の構成では、ショルダー領域におけるピッチの溝面積比が適正化されるので、タイヤ加硫成形時における金型へのトレッドゴムの押し込み量が、大きいピッチと小さいピッチとの間で均一化される。また、外側ショルダー領域は、ヒールアンドトゥ摩耗およびユニフォミティに対する影響が強い。したがって、かかる構成は、タイヤの耐偏摩耗性能およびユニフォミティが向上する点で好ましい。
【００６８】
また、上記とは逆に、図２の構成では、センター領域にて、より大きいピッチ長を有するピッチの溝面積比が、より小さいピッチ長を有するピッチの溝面積比よりも小さい（具体的には、０．５［％］以上１．５［％］以下の範囲で小さい）ことが好ましい。また、外側ショルダー領域にて、より大きいピッチ長を有するピッチの溝面積比が、より小さいピッチ長を有するピッチの溝面積比よりも大きい（具体的には、０．５［％］以上１．５［％］以下の範囲で大きい）ことが好ましい。
【００６９】
上記の構成では、センター領域におけるピッチの溝面積比が適正化されるので、タイヤ加硫成形時における金型へのトレッドゴムの押し込み量が、大きいピッチと小さいピッチとで均一化される。また、センター領域は、転がり抵抗およびユニフォミティに対する影響が強い。したがって、かかる構成は、タイヤの低転がり抵抗性能およびユニフォミティが向上する点で好ましい。
【００７０】
また、上記の構成では、ショルダー領域におけるピッチの溝面積比が適正化されるので、ブロックの大きさが、大きいピッチと小さいピッチとの間で均一化される。また、外側ショルダー領域は、旋回性能に対する影響が強い。したがって、かかる構成は、タイヤの旋回性能が向上する点で好ましい。
【００７１】
また、図２の構成では、センター領域におけるピッチ配列のピッチ比ａが、外側ショルダー領域におけるピッチ配列のピッチ比ｂよりも小さい（ａ＜ｂ）ことが好ましい。また、センター領域のピッチ比ａが、１．２０≦ａ≦１．４５の範囲にあることが好ましく、ショルダー領域のピッチ比ｂが、１．４０≦ｂ≦１．７０の範囲にあることが好ましい。なお、内側ショルダー領域のピッチ比は、ピッチ配列が単一ピッチ配列であるので、１である。
【００７２】
ピッチ比は、各領域のピッチ配列におけるピッチ長の最大値と最小値との比として算出される。
【００７３】
上記の構成では、センター領域のピッチ比が相対的に小さいので、センター領域における陸部のタイヤ周方向の剛性が均一化される。また、センター領域は、タイヤの操縦安定性能に対する影響が強い。したがって、かかる構成は、タイヤの操縦安定性能が向上する点で好ましい。
【００７４】
また、上記の構成では、ショルダー領域のピッチ比が相対的に大きいので、タイヤのパターンノイズが効果的に抑制される。また、ショルダー領域は、パターンノイズに対する影響が強い。したがって、かかる構成は、タイヤの騒音性能が向上する点で好ましい。
【００７５】
また、図２の構成では、センター領域におけるピッチ配列のピッチ数Ｎceが、外側ショルダー領域におけるピッチ配列のピッチ数Ｎoutに対して同一または少ない（Ｎce≦Ｎout）ことが好ましい。また、センター領域のピッチ数Ｎceが１０≦Ｎce≦８０の範囲にあり、外側ショルダー領域のピッチ数Ｎoutが２０≦Ｎout≦１００の範囲にあることが好ましい。
【００７６】
上記の構成では、センター領域のピッチ数Ｎceが少ないので、センター領域における陸部の剛性が確保される。また、センター領域は、タイヤの操縦安定性能に対する影響が強い。したがって、かかる構成は、タイヤの操縦安定性能が向上する点で好ましい。
【００７７】
また、上記の構成では、外側ショルダー領域のピッチ数Ｎoutが多いので、タイヤのパターンノイズが効果的に抑制される。また、外側ショルダー領域は、パターンノイズに対する影響が強い。したがって、かかる構成は、タイヤの騒音性能が向上する点で好ましい。
【００７８】
また、図２の構成では、外側ショルダー領域におけるピッチ配列のピッチ数Ｎoutが、内側ショルダー領域におけるピッチ配列のピッチ数Ｎinよりも少ない（Ｎout＜Ｎin）ことが好ましい。また、外側ショルダー領域のピッチ数Ｎoutが２０≦Ｎout≦１００の範囲にあり、内側ショルダー領域のピッチ数Ｎinが５０≦Ｎin≦１４０の範囲にあることが好ましい。
【００７９】
上記の構成では、外側ショルダー領域のピッチ数Ｎoutが少ないので、外側ショルダー領域における陸部の剛性が確保される。また、外側ショルダー領域は、旋回性能に対する影響が強い。したがって、かかる構成は、タイヤの旋回性能が向上する点で好ましい。
【００８０】
また、上記の構成では、内側ショルダー領域のピッチ数Ｎinが多いので、陸部の接地圧が分散されて、多角形摩耗が抑制される。また、内側ショルダー領域では、多角形摩耗が生じ易い。したがって、かかる構成は、タイヤの耐多角形摩耗性能が向上する点で好ましい。
【００８１】
また、図２の構成では、センター領域におけるピッチ配列のピッチ種数（ピッチの種類の数）が、外側ショルダー領域におけるピッチ配列のピッチ種数よりも少ないことが好ましい。なお、内側ショルダー領域のピッチ種数は、ピッチ配列が単一ピッチ配列であるので、タイヤ全周におけるピッチ数の８０［％］以上が同一種類のピッチで構成されている。
【００８２】
上記の構成では、センター領域のピッチ種数が少ないので、センター領域における陸部のタイヤ周方向の剛性が均一化される。また、センター領域は、タイヤの操縦安定性能に対する影響が強い。したがって、かかる構成は、タイヤの操縦安定性能が向上する点で好ましい。
【００８３】
また、上記の構成では、外側ショルダー領域のピッチ種数が多いので、タイヤのパターンノイズが効果的に抑制される。また、外側ショルダー領域は、パターンノイズに対する影響が強い。したがって、かかる構成は、タイヤの騒音性能が向上する点で好ましい。
【００８４】
また、図２の構成では、上記のように、内側ショルダー領域が単一ピッチ配列を有し、センター領域および外側ショルダー領域がランダムピッチ配列を有している。また、センター領域および外側ショルダー領域が、同一パターンのランダムピッチ配列を有している。これにより、単一ピッチ配列とランダムピッチ配列とを併用したトレッドパターンが形成されている。
【００８５】
上記の構成は、トレッド部が内側ショルダー領域とセンター領域および外側ショルダー領域とを区画する少なくとも１本の周方向溝２２を備えることにより、実現できる。したがって、境界となる周方向溝２２から車幅方向外側のトレッド端部までの領域には、周方向溝が配置されていなくとも良い（図示省略）。かかる構成としては、例えば、車幅方向内側領域の所定の範囲（０．１５≦Ｗin／ＴＷ≦０．４０となる距離Ｗin）に、少なくとも１本の周方向溝が配置され、且つ、センター領域および外側ショルダー領域に、タイヤ周方向に対して傾斜する傾斜ラグ溝のみが配置されたトレッドパターンが想定される。
【００８６】
また、図２の構成では、上記のように、内側ショルダー領域の陸部３１が、複数のラグ溝４１に区画されて成るブロック列であり、また、各ブロック５１がサイプ６１をそれぞれ有している。また、複数のラグ溝４１および複数のサイプ６１が、タイヤ周方向に一定のピッチ長で配置されている。
【００８７】
しかし、これに限らず、内側ショルダー領域の陸部３１が、ラグ溝４１を有さないリブであっても良い（図示省略）。すなわち、内側ショルダー領域の陸部３１がタイヤ周方向に連続するリブである。かかる構成では、陸部３１がラグ溝４１を有する構成と比較して、パターンノイズが減少する。これにより、タイヤの騒音性能が向上する。
【００８８】
上記のように、陸部３１がラグ溝４１を有さない構成では、陸部３１のピッチが、陸部３１に配置されたサイプ６１、切欠あるいはカーフ（図示省略）などにより定義される。
【００８９】
［効果］
以上説明したように、この空気入りタイヤ１は、タイヤ周方向に延在する少なくとも１本の周方向溝２１〜２６（特に、内側ショルダー領域とセンター領域とを区画する周方向溝２２）と、周方向溝２１〜２６に区画されて成ると共に所定のピッチ配列を有する複数の陸部３１〜３７とを備える（図２参照）。また、トレッド部を内側ショルダー領域、センター領域および外側ショルダー領域から成る３つの領域に区分するときに、内側ショルダー領域におけるピッチ配列が、単一種類のピッチから成る単一ピッチ配列である。また、センター領域におけるピッチ配列および外側ショルダー領域におけるピッチ配列が、複数種類のピッチを連続的に配列して成る周期ピッチ配列および複数種類のピッチを不連続に配列して成るランダムピッチ配列の少なくとも一方である。
【００９０】
かかる構成では、単一ピッチ配列が内側ショルダー領域に配置されるので、内側ショルダー領域の陸部３１の多角形摩耗が抑制される。一方で、周期ピッチ配列およびランダムピッチ配列の少なくとも一方がセンター領域および外側ショルダー領域に配置されるので、タイヤのパターンノイズが減少する。これにより、タイヤの耐多角形摩耗性能と騒音性能とが両立する利点がある。特に、内側ショルダー領域の陸部３１では、多角形摩耗が生じ易い。したがって、この内側ショルダー領域における多角形摩耗を抑制することにより、タイヤの耐多角形摩耗性能が効果的に向上する。
【００９１】
また、この空気入りタイヤ１では、センター領域におけるピッチ配列および外側ショルダー領域におけるピッチ配列のうちの一方が、ランダムピッチ配列であり、他方が、周期ピッチ配列である（図３および図４参照）。かかる構成では、単一ピッチ配列が内側ショルダー領域に配置されるので、内側ショルダー領域の陸部３１の多角形摩耗が抑制される。一方で、周期ピッチ配列およびランダムピッチ配列の少なくとも一方がセンター領域および外側ショルダー領域に配置されるので、タイヤのパターンノイズが減少する。これにより、タイヤの耐多角形摩耗性能と騒音性能とが両立する利点がある。
【００９２】
また、この空気入りタイヤ１では、センター領域におけるピッチ配列が、ランダムピッチ配列であり、且つ、外側ショルダー領域におけるピッチ配列が、周期ピッチ配列である（図５参照）。かかる構成では、センター領域のランダムピッチ配列により、タイヤの操縦安定性能が向上し、外側ショルダー領域の周期ピッチ配列により、陸部の多角形摩耗が抑制される。これにより、タイヤの操縦安定性能と耐多角形摩耗性能とが両立する利点がある。
【００９３】
また、この空気入りタイヤ１では、センター領域におけるピッチ配列が、周期ピッチ配列であり、且つ、外側ショルダー領域におけるピッチ配列が、ランダムピッチ配列である（図６参照）。かかる構成では、センター領域の周期ピッチ配列により、パターンノイズが低減し、外側ショルダー領域のランダムピッチ配列により、制動性能が向上する。これにより、タイヤの騒音性能と制動性能とが両立する利点がある。
【００９４】
また、この空気入りタイヤ１では、センター領域にて、より大きいピッチ長を有するピッチの溝面積比が、より小さいピッチ長を有するピッチの溝面積比よりも大きく、且つ、外側ショルダー領域にて、より大きいピッチ長を有するピッチの溝面積比が、より小さいピッチ長を有するピッチの溝面積比よりも小さい（図示省略）。かかる構成では、センター領域および外側ショルダー領域におけるピッチの溝面積比が適正化されるので、タイヤの操縦安定性能、耐偏摩耗性能およびユニフォミティの向上が両立する利点がある。
【００９５】
また、この空気入りタイヤ１では、センター領域にて、より大きいピッチ長を有するピッチの溝面積比が、より小さいピッチ長を有するピッチの溝面積比よりも小さく、且つ、外側ショルダー領域にて、より大きいピッチ長を有するピッチの溝面積比が、より小さいピッチ長を有するピッチの溝面積比よりも大きい（図示省略）。かかる構成では、センター領域および外側ショルダー領域におけるピッチの溝面積比が適正化されるので、タイヤの低転がり抵抗性能、ユニフォミティおよび旋回性能が両立する利点がある。
【００９６】
また、この空気入りタイヤ１では、センター領域におけるピッチ配列のピッチ比が、外側ショルダー領域におけるピッチ配列のピッチ比よりも小さい（図示省略）。かかる構成では、センター領域および外側ショルダー領域におけるピッチ比が適正化されるので、タイヤの操縦安定性能および騒音性能が両立する利点がある。
【００９７】
また、この空気入りタイヤ１では、センター領域におけるピッチ配列のピッチ数Ｎceが、外側ショルダー領域におけるピッチ配列のピッチ数Ｎoutに対して同一または少ない（Ｎce≦Ｎout）（図示省略）。かかる構成では、センター領域および外側ショルダー領域におけるピッチ数Ｎce、Ｎoutの関係が適正化されるので、タイヤの操縦安定性能および騒音性能が両立する利点がある。
【００９８】
また、この空気入りタイヤ１では、外側ショルダー領域におけるピッチ配列のピッチ数Ｎoutが、内側ショルダー領域におけるピッチ配列のピッチ数Ｎinよりも少ない（Ｎout＜Ｎin）（図示省略）。かかる構成では、センター領域および外側ショルダー領域におけるピッチ数Ｎout、Ｎinの関係が適正化されるので、タイヤの旋回性能および耐多角形摩耗性能が両立する利点がある。
【００９９】
また、この空気入りタイヤ１では、センター領域におけるピッチ配列のピッチ種数が、外側ショルダー領域におけるピッチ配列のピッチ種数よりも少ない（図示省略）。かかる構成では、センター領域および外側ショルダー領域におけるピッチ種数の関係が適正化されるので、タイヤの操縦安定性能および騒音性能が両立する利点がある。
【０１００】
また、この空気入りタイヤ１では、内側ショルダー領域における陸部３１が、ラグ溝４１を有さないリブである（図示省略）。かかる構成では、陸部３１がラグ溝４１を有する構成と比較して、パターンノイズが減少する。これにより、タイヤの騒音性能が向上する利点がある。
【実施例】
【０１０１】
図７および図８は、この発明の実施の形態にかかる空気入りタイヤの性能試験の結果を示す図表である。
【０１０２】
この性能試験では、複数種類の試験タイヤについて、（１）耐多角形摩耗性能、（２）騒音性能、（３）ユニフォミティ、（４）操縦安定性能および（５）制動性能に関する評価が行われた。また、タイヤサイズ２０５／６０Ｒ１６の試験タイヤがＪＡＴＭＡ規定の適用リムに組み付けられ、この試験タイヤにＪＡＴＭＡ規定の最高空気圧および最大負荷が付与される。また、試験タイヤが、試験車両である排気量１５００［ｃｃ］のＦＦ（Front engine - Front drive）車両の総輪に装着される。
【０１０３】
（１）耐多角形摩耗性能に関する評価では、試験車両が一般舗装路を１００００［ｋｍ］走行した後に、トレッド面のヒールアンドトゥ摩耗が測定される。そして、この測定結果に基づいて、従来例１、２を基準（１００）とした指数評価が行われる。この評価は、数値が大きいほど好ましい。
【０１０４】
（２）騒音性能に関する評価では、試験車両が平滑路面を速度１００［ｋｍ／ｈ］で走行して、テストドライバーがパターンノイズに関する官能評価を行う。この評価は、従来例１、２を基準（１００）とした指数評価により行われ、数値が大きいほど好ましい。
【０１０５】
（３）ユニフォミティに関する評価では、試験タイヤがＪＡＴＭＡ規定の適用リムに組み付けられ、この試験タイヤに空気圧２００［ｋＰａ］および加重５．３１［ｋＮ］が付与される。また、ユニフォミティ測定試験機が用いられて、ＲＦＶ（ラジアル・フォース・バリエーション）が測定される。そして、この測定結果に基づいて、従来例１、２を基準（１００）とした指数評価が行われる。この評価は、数値が大きいほど好ましい。
【０１０６】
（４）操縦安定性能に関する評価では、試験車両がドライ路面を速度１００［ｋｍ／ｈ］で走行して、テストドライバーが官能評価を行う。この評価は、従来例１、２を基準（１００）とした指数評価により行われ、数値が大きいほど好ましい。
【０１０７】
（５）制動性能に関する評価では、試験車両が乾燥路面を走行し、速度１００［ｋｍ／ｈ］からの制動距離が測定される。そして、この測定結果に基づいて、従来例１、２を基準（１００）とした指数評価が行われる。この評価は、数値が大きいほど好ましい。
【０１０８】
実施例１〜１０の試験タイヤは、図２のトレッドパターンを有し、内側ショルダー領域の陸部３１が単一ピッチ配列を有する。実施例１１の試験タイヤは、実施例１の構成において、内側ショルダー領域の陸部３１がラグ溝４１を有さないリブである（図示省略）。また、実施例１〜４における単一ピッチ配列、周期ピッチ配列およびランダムピッチ配列を構成する５種類のピッチＡ〜Ｅのピッチ長は、図３〜図６に記載した数値である。
【０１０９】
従来例１の試験タイヤは、図２のトレッドパターンにおいて、内側ショルダー領域の陸部３１がランダムピッチ配列を有する。従来例２の試験タイヤは、図２のトレッドパターンにおいて、すべての領域の陸部３１〜３７が、単一ピッチ配列を有する。
【０１１０】
試験結果が示すように、実施例１〜１１の試験タイヤでは、各種のタイヤ性能が向上することが分かる。なお、評価が９８以上であれば、許容範囲内といえる。
【符号の説明】
【０１１１】
１：空気入りタイヤ、１１：ビードコア、１２：ビードフィラー、１３：カーカス層、１４：ベルト層、１４１、１４２：交差ベルト、１４３：ベルトカバー、１５：トレッドゴム、１６：サイドウォールゴム、１７：リムクッションゴム、２１〜２６：周方向溝、３１〜３７：陸部、４１〜４３：ラグ溝、５１、５２：ブロック、６１、６２：サイプ、７１、７２：切欠
【図１】
2015120449.tif 000003
【図２】
2015120449.tif 000004
【図３】
2015120449.tif 000005
【図４】
2015120449.tif 000006
【図５】
2015120449.tif 000007
【図６】
2015120449.tif 000008
【図７】
2015120449.tif 000009
【図８】
2015120449.tif 000010